(57)【特許請求の範囲】
【請求項１】
装填された光ディスクの種別を判別する光ディスクの判別方法において、
上記光ディスクのリードインゾーンに記載された情報から上記光ディスクがＤＶＤ−ＲＯＭである情報を検出した後、上記光ディスクのデータゾーンにおけるデータ開始位置からのデータ読み出しによってトラッキングエラー信号が検出されない場合は、上記データゾーンにおけるウォブル信号を検出し、上記ウォブル信号が検出されたことによりウォブルグルーブが存在する光ディスクであると判断されたときは、上記光ディスクをＤＶＤ
Ｄｏｗｎｌｏａｄ規格のブランクディスクと判定するとともに、上記光ディスクの読み取り動作を停止する、
ことを特徴とする光ディスクの判別方法。
【請求項２】
位相差方式によりトラッキングエラー信号の検出を行い、前記データゾーンからトラッキングエラー信号が検出されないときは、プッシュプル方式でウォブル信号を検出することを特徴とする請求項１記載の光ディスクの判別方法。
【請求項３】
装填された光ディスクの情報の記録および／または再生を行う光ディスク装置であって、
上記光ディスクのリードインゾーンに記載されている情報から、上記光ディスクがＤＶＤ−ＲＯＭであることを識別する第一識別手段と、
上記第一識別手段によりＤＶＤ−ＲＯＭと識別されたときに、位相差方式により上記光ディスクのデータゾーンにおける開始位置からのデータ読み出しによってトラッキングエラー信号の検出を行う第二識別手段と、
上記第二識別手段によりトラッキングエラー信号が検出されないときは、プッシュプル方式でデータゾーンからウォブル信号を検出する第三識別手段と、
上記第三識別手段でウォブル信号を検出したときは、ＤＶＤ
Ｄｏｗｎｌｏａｄ規格のブランクディスクであると判別するとともに、上記光ディスクの読み取り動作を停止する判別手段と
を備えたことを特徴とする光ディスク装置。
【請求項４】
情報処理装置にインストールすることにより、情報処理装置に請求項３の光ディスク装置の第一識別手段、第二識別手段、第三識別手段、および判別手段の機能を実現させるプログラム。
【発明の詳細な説明】
【技術分野】
【０００１】
本発明は、光ディスクの判別方法、その判別方法を実現する光ディスク装置およびプログラムに関する。
【背景技術】
【０００２】
光ディスクの一形態であるＤＶＤ（ Digital Versatile Disk ）には種々の規格があり、利用形態の変化に応じて新しい規格が設定されている。このため、ＤＶＤを光ディスク装置に装填したときに、装填されたＤＶＤの種別を判別することが必要であり、そのＤＶＤの種別を判別する技術として、以下の特許文献に開示される提案が知られている。
【特許文献１】特開２００４−２４６９９０号公報
【特許文献２】特開２０００−３１５３５５号公報
【発明の開示】
【発明が解決しようとする課題】
【０００３】
ところで、新しいＤＶＤの規格として、ＤＶＤ Ｄｏｗｎｌｏａｄ規格が提案されている。このＤＶＤ Ｄｏｗｎｌｏａｄ規格は、コンテンツサプライヤがＤＶＤを消費者に供給するのではなく、コンテンツサプライヤからオーソライズされたサービスプロバイダなどが、コンテンツをＤＶＤに記録して消費者にＤＶＤを提供する、あるいはオーソライズされた業者の店頭でＤＶＤのユーザが購入したブランクディスクにコンテンツを書き込む等の各利用形態を想定した規格である。
【０００４】
このＤＶＤ Ｄｏｗｎｌｏａｄ規格では、ＤＶＤのコントロールデータゾーン（制御情報が記録される領域  以下で述べるリードインゾーンとほぼ同義である）に、違法なコピーを防止、及び違法なコンテンツ再生など、著作権を保護するための制御信号があらかじめ記録される規格（ＥＳＴ２の規格）がある。
【０００５】
すなわち、コントロールデータゾーンには、つぎの４つの情報が記録される。
１）Ｂｏｏｋ  Ｔｙｐｅ
２）コンパチブル・パートバージョン
３）ディスクインジケータ
４）Ｍａｘｉｍｕｍ  ｒｅｃｏｒｄｅｄ  ａｄｄｒｅｓｓ
【０００６】
ここで、コントロールデータゾーンのＢｏｏｋ  ＴｙｐｅにＤＶＤ−ＲＯＭと記載されていると、論理的にはＤＶＤ−ＲＯＭとして認識され、データゾーンには、データが記録されていることが前提であるものと認識される。
【０００７】
このため、仮に、データゾーンにデータが記録されていないブランクディスクが光ディスク再生装置に装填されると、光ディスク再生装置は、コントロールデータゾーンを読み取って、Ｂｏｏｋ  Ｔｙｐｅの記載に基づいて論理的には、ＤＶＤ−ＲＯＭと認識する。そのため、光ディスク再生装置は、次に、データゾーンのシークを行い、記録されたデータの読み取り処理に移る。
【０００８】
しかし、ブランクディスクは、データゾーンにデータが記録されていないので、データゾーンのデータ読み取り動作に移っても、データの読み取りができない。このため、光ディスク再生装置は、データ読み取り動作を無限に継続する無限ループ動作に陥る可能性がある。また、読み取るべきデータがないため、データ処理装置側で障害が発生したものと誤認するなどの誤動作を生ずるおそれがある。
【０００９】
本発明は、上述の問題を解決するもので、データゾーンにデータの記録がないＤＶＤ Ｄｏｗｎｌｏａｄ規格のブランクディスクであることを簡単に判別することを目的とする。
【課題を解決するための手段】
【００１０】
本発明は、装填された光ディスクの種別を判別する光ディスクの判別方法において、上記光ディスクのリードインゾーンに記載された情報から光ディスクがＤＶＤ−ＲＯＭである情報を検出した後、光ディスクのデータゾーンにおけるデータ開始位置からのデータ読み出しによってトラッキングエラー信号が検出されない場合は、データゾーンにおけるウォブル信号を検出し、ウォブル信号が検出されたことによりウォブルグルーブが存在する光ディスクであると判断されたときは、光ディスクをＤＶＤ Ｄｏｗｎｌｏａｄ規格のブランクディスクと判定するとともに、光ディスクの読み取り動作を停止することを特徴とする。
【００１１】
また、位相差方式によりトラッキングエラー信号の検出を行い、前記データゾーンからトラッキングエラー信号が検出されないときは、プッシュプル方式でウォブル信号を検出することができる。
【００１２】
別の本発明は、装填された光ディスクの情報の記録および／または再生を行う光ディスク装置であって、光ディスクのリードインゾーンに記載されている情報から、上記光ディスクがＤＶＤ−ＲＯＭであることを識別する第一識別手段と、第一識別手段によりＤＶＤ−ＲＯＭと識別されたときに、位相差方式により光ディスクのデータゾーンにおけるデータ開始位置からのデータ読み出しによってトラッキングエラー信号の検出を行う第二識別手段と、第二識別手段によりトラッキングエラー信号が検出されないときは、プッシュプル方式でデータゾーンからウォブル信号を検出する第三識別手段と、第三識別手段でウォブル信号を検出したときは、ＤＶＤ Ｄｏｗｎｌｏａｄ規格のブランクディスクであると判別するとともに、光ディスクの読み取り動作を停止する判別手段とを備えたことを特徴とする。
【００１３】
また、別の本発明は、情報処理装置にインストールすることにより、情報処理装置に請求項３の光ディスク装置の第一識別手段、第二識別手段、第三識別手段、および判別手段の機能を実現させるプログラムである。
【発明の効果】
【００１４】
本発明によれば、ＤＶＤ Ｄｏｗｎｌｏａｄ規格のブランクディスクであることを簡単に判別できる。
【発明を実施するための最良の形態】
【００１５】
以下図面を参照して、本発明の実施の形態を説明する。
【００１６】
図１は、光ディスク装置の構成の一部を示すものである。この図１は、装填されたＤＶＤ１がモータ２によって回転し、これを光ピックアップ（図１ではＰ／Ｕと示す）３によりＤＶＤ１内に記録されたデータを読み取る再生装置の例である。
【００１７】
光ピックアップ３は、読み取られた信号を処理し、その処理した信号に基づいて光ピックアップ３のサーボ制御を行う信号処理／サーボ制御部４と接続されている。信号処理／サーボ制御部４は、光ピックアップ３により読み取られた信号を処理してその処理結果を出力する信号処理の機能と、これらの読み取られた信号に基づいて、光ピックアップ３のフォーカス、トラッキングのサーボ制御を行うサーボ制御の機能をもつ。信号処理の機能は、リードインゾーンおよびデータゾーンで読み取られた信号を処理して出力する機能を有し、コントロールデータから検出したディスクが論理的にＤＶＤ−ＲＯＭである旨の検出／出力、その他の制御信号の検出／出力、トラッキングエラー信号の検出／出力、ウォブル（ｗｏｂｂｌｅ）信号の検出／出力を行う機能を有する。この信号処理／サーボ制御部４は、ＲＦフロントエンドおよびディジタル信号処理の機能、光ピックアップ３のアクチュエータであるフォーカスサーボ駆動部、トラッキングサーボ駆動部に対してサーボ制御信号を与えるサーボ制御部の機能をもつものである。
【００１８】
信号処理／サーボ制御部４は、リードインゾーンに記録されている論理的にＤＶＤ−ＲＯＭであることを識別する点、位相差方式によりデータゾーンからトラッキングエラー信号の検出を行う点、トラッキングエラー信号が検出されないときはプッシュプル方式でウォブル信号を検出する点で、第一識別手段、第二識別手段、第三識別手段に対応する。
【００１９】
ディスク判別部５は、信号処理／サーボ制御部４から出力されるＤＶＤ１が論理的にＤＶＤ−ＲＯＭである旨の検出信号およびＴＥ（トラッキングエラー）検出信号、ウォブルグルーブが存在する旨の検出信号が入力され、ＤＶＤ１がどのような種類のものかを判別し、その判別出力をする判別手段である。この判別出力により、光ディスク再生装置は、装填されたＤＶＤ１がＤＶＤ Ｄｏｗｎｌｏａｄ規格のブランクディスクであると判定された場合、そのＤＶＤ１の読み取り動作を停止し、再生停止動作あるいはＤＶＤ１そのものをイジェクトする処理を行うことができる。
【００２０】
つぎに、図２のフローチャートを参照して、光ディスクの判別方法について説明する。
【００２１】
図２は、装填された光ディスクがＤＶＤと判別された後に、当該ＤＶＤ１がＤＶＤ Ｄｏｗｎｌｏａｄ規格のＤＶＤであり、データゾーンにデータの書き込みがないブランクディスクであると判定する一連の処理を示すフローチャートである。
【００２２】
まず、光ディスク装置は、光ピックアップ２をＤＶＤ１の内側にあるコントロールデータが記録されているリードインゾーンにシークし、リードインゾーンの読み取りを行う（ステップＳ１）。このリードインゾーンで論理的にＤＶＤ−ＲＯＭである情報が検出されるかを判定する（ステップＳ２）。このディスクが論理的にＤＶＤ−ＲＯＭであるかは、リードインゾーンのＢｏｏｋ  Ｔｙｐｅの情報として、ＤＶＤ−ＲＯＭである旨の情報が搭載されていることにより判断できる。
【００２３】
被検査対象のＤＶＤ１のリードインゾーンのＢｏｏｋ  ＴｙｐｅにＤＶＤ−ＲＯＭ以外のディスク情報が記録されている場合は、ＤＶＤ−ＲやＤＶＤ−ＲＷなどと記載されており、それらのディスクであると判断する（ステップＳ９）。
【００２４】
被検査対象のＤＶＤ１が論理的にＤＶＤ−ＲＯＭと判別されると、ＤＶＤ−ＲＯＭとして、データが記録されていると判断されるので、光ディスク装置は、光ピックアップ３をデータゾーンに移動し、データゾーンにおけるデータの読み出しを行う（ステップＳ３）。例えば、30000h番地はデータゾーンの開始番地なので、この30000ｈ番地からデータの読み出しを行う。このとき、信号処理／サーボ制御部４は、位相差方式（ＤＰＤ  differencial phase detection ）によりトラッキングエラー信号（ＴＥ信号）の検出も行い、所定の振幅（レベル）を越えるトラッキングエラー信号が検出されないときは、信号処理／サーボ制御部４は、トラッキングエラー信号が無いという出力をディスク判別部５に出力する（ステップＳ４）。
【００２５】
データゾーンにデータが記録されている場合は、各トラックにデータ内容が「１」または「０」を示すピットとして記録されており、このピットを検出することで、通常トラッキングエラー信号は、所定幅の振幅変動、例えば数百ミリＶの出力変動幅ののこぎり状波形として検出される。しかし、データゾーンにはデータが記録されていない場合は、ピットが形成されていないので、トラッキングエラー信号としては、微小レベルの信号しか検出されない。ピットが形成されていないレベルのトラッキングエラー信号しか検出されない場合は、信号処理／サーボ制御部４からはトラッキングエラー信号が無いという出力がされる。
【００２６】
信号処理／サーボ制御部４で、ＤＰＤ方式でトラッキングエラー信号の検出ができなかった場合には、信号処理／サーボ制御部４は、トラッキングエラー検出方式をプッシュプル方式に変更して、トラッキングエラー検出を行い、所定のバンドパスフィルタの出力からウォブル信号の検出を行って、ウォブルグルーブが存在するかの判定を行う（ステップＳ５、Ｓ６）。ＤＶＤ Ｄｏｗｎｌｏａｄの規格として、ウォブル周波数は、通常のＤＶＤ−Ｒの２倍程度の周波数と規定されている。このため、従来のＤＶＤ−Ｒのウォブルグルーブを検出するためのバンドパスフィルタを用いても、ウォブルグルーブの検出は可能である。一方、ＤＶＤ−ＲＯＭは、ウォブルグルーブ（ウォブル周波数）は存在しない。したがって、装填されたＤＶＤ１が論理的にＤＶＤ−ＲＯＭと判断され、ウォブルグルーブを検出すると、ダウンロードＤＶＤ規格のブランクディスクであることがわかる。また、ウォブルグルーブが存在しない場合は、ＤＶＤ−ＲＯＭであると判定できる。
【００２７】
上述のＤＶＤ−ＲＯＭである旨の出力、トラッキングエラー信号の検出が無いという出力およびウォブル信号の検出の出力によりディスク判別部５は、被検査対象のＤＶＤ１がＤＶＤ Ｄｏｗｎｌｏａｄ規格のブランクディスクであると判定する（ステップＳ７）。このブランクディスクであるとの判定により、ディスクの再生動作を停止したり、あるいはイジェクト等の処理を行う（ステップＳ８）。トラッキングエラー信号が検出された場合あるいはウォブル信号が検出されない場合には、ＤＶＤ１をＤＶＤ−ＲＯＭであると判定し（ステップ１０）、再生動作へ移行する（ステップＳ１１）。
【００２８】
この実施の形態により、ＤＶＤ１が確実にＤＶＤ Ｄｏｗｎｌｏａｄ規格のブランクディスクであるか否かの判別ができる。
【００２９】
この被検査対象のディスクが論理的にＤＶＤ−ＲＯＭである旨の情報の識別機能、ＤＰＤ方式によるトラッキングエラー信号の有無の識別機能、プッシュプル方式によるウォブルグルーブが存在するか否かの識別機能、これらの識別結果に基づいてＤＶＤ Ｄｏｗｎｌｏａｄ規格のブランクディスクであると判別する判別機能を実現する制御用プログラムをインストールすることにより、ＤＶＤ再生装置で、ＤＶＤ Ｄｏｗｎｌｏａｄ規格のブランクディスクであることを判別して誤動作等を発生することなく、ＤＶＤ Ｄｏｗｎｌｏａｄ規格のブランクディスクであることを判別することが可能である。このような制御用プログラムは、ＣＤ−ＲＯＭ等の記録媒体に記録されることにより、情報処理装置に容易にインストールすることができる。また、ネットワークを介して当該制御用プログラムを情報処理装置内にインストールすることもできる。
【００３０】
なお、上述の実施の形態は、ＤＶＤ再生装置の例で説明したが、プッシュプル方式は、ＤＶＤ記録装置に設けられているのが普通であるから、ＤＶＤ記録装置でのＤＶＤ Ｄｏｗｎｌｏａｄ規格のブランクディスクの判定にも同様に実施することができる。
【図面の簡単な説明】
【００３１】
【図１】本発明の実施の形態に係る光ディスク装置の構成の一部を示す図。
【図２】本発明の実施の形態の処理動作を示すフローチャート。
【符号の説明】
【００３２】
１  ＤＶＤ
２  モータ
３  光ピックアップ
４  信号処理／サーボ制御部（第一識別手段、第二識別手段、第三識別手段）
５  ディスク判別部（ディスク判別手段）
【図１】
0005217467.tif 000002
【図２】
0005217467.tif 000003